(57)【特許請求の範囲】
【請求項１】
用紙を搬送するフィードローラと、このフィードローラと対になって用紙を１枚ずつ分離搬送するように構成される分離手段と、前記フィードローラまで用紙をプリフィードするピックアップローラと、前記フィードローラを支持する駆動軸と、この駆動軸に前記フィードローラと共に設けられるブラケットと、このブラケットに設けられて前記ピックアップローラを支持するピックアップローラ軸と、前記駆動軸に駆動モータからの回転駆動力を伝達する伝達手段と、前記駆動軸に設けられて、モータ正転時には前記ブラケットを押し下げて前記ピックアップローラによる用紙プリフィードを可能にし、モータ逆転時には前記ブラケットを持ち上げて前記ピックアップローラを待機位置に移動させる構成のクラッチ手段を備えた用紙搬送装置において、前記伝達手段から前記駆動軸にトルクリミッタを介して回転駆動力を伝達し、前記トルクリミッタにおけるリミッタ開始基準を、前記フィードローラにおける前記分離手段との分離負荷および前記スプリングクラッチにおける用紙搬送負荷による負荷以上の負荷が加わったときにリミッタを加えるように設定したことを特徴とする用紙搬送装置。
【発明の詳細な説明】
【０００１】
【発明の属する技術分野】
本発明は、ファクシミリ装置あるいは複写機などに搭載される原稿自動給紙装置に適用される用紙搬送装置に関するものである。
【０００２】
【従来の技術】
図２は従来の原稿自動給紙装置における正面側の概略構成図であり、１は原稿セット台、２はガイド板などからなる原稿搬送路、３は原稿搬送路２の適所に設けられた搬送ローラ、４は原稿搬送路２の上部を覆う開閉可能なカバー、５は原稿を搬送するフィードローラ、６はフィードローラ５と対になって原稿を１枚ずつ分離搬送するように構成された分離ローラ、７は原稿セット台１からフィードローラ５まで原稿をプリフィードするピックアップローラ、８は、一対の側板９間に架設され、フィードローラ５を支持する駆動軸、１０は駆動軸８にフィードローラ５と共に設けられるブラケット、１１はブラケット１０に設けられてピックアップローラ７を支持するピックアップローラ軸である。
【０００３】
図３は前記ローラおよび軸の駆動系の構成を示す平面図、図４は同駆動系の原稿搬送時における正面図、図５は同駆動系の非原稿搬送時における正面図であり、２０は、駆動軸８に設けられたプーリ２１と、第１の中間軸２２に設けられたプーリ部２３との間に架設された第１の駆動ベルト、２５は、搬送ローラ３の支持軸２６に設けられたプーリ２７と、第２の中間軸２８に設けられたプーリ部２９との間に架設された第２の駆動ベルト、３０は、第２の中間軸２８に設けられ、かつ第１の中間軸２２に設けられたギヤ３１と噛合するた小径ギヤ、３２は、第２の中間軸２８に設けられ、かつ分離ローラ６の支持軸３３に設けられたギヤ３４と噛合する大径ギヤであって、これらの駆動ベルト，プーリ，ギヤによって、図示しない駆動モータからの回転駆動力を伝達するための伝達手段３５が構成されている。
【０００４】
さらに、４０は、駆動軸８におけるフィードローラ５部分に設けられたスプリングクラッチであり、スプリングクラッチ４０は、図６に示す正面状態の説明図のように、モータ正転時（原稿搬送時）には、作動部４１がブラケット１０の第１の受け部４２ａを押し下げて、ピックアップローラ７による用紙プリフィードを可能にし、また図７に示す正面状態の説明図のように、モータ逆転時（非原稿搬送時）には、作動部４１がブラケット１０の第２の受け部４２ｂを持ち上げて、ピックアップローラ７を待機位置に移動させるような構成になっている。
【０００５】
前記構成の原稿自動給紙装置における原稿搬送動作を説明する。
【０００６】
原稿セット台１に積載され、伝達手段３５により各部へ回転駆動力（モータ正転）が伝達されると、図６にて説明したようにブラケット１０が下がり、図４に示すような状態になって、原稿は、ピックアップローラ７によりフィードローラ５まで搬送され、このフィードローラ７と分離ローラ６、および原稿間における摩擦抵抗の差によって、原稿が重送されて来ても公知のように１枚ずつ分離搬送される。その後、原稿は、搬送ローラ３によって原稿搬送路２を読取センサ方向に搬送されて排紙される。
【０００７】
そして、原稿搬送が終了すると、伝達手段３５を介して各部に逆回転駆動力（モータ逆転）が伝達され、図７にて説明したようにブラケット１０が上がり、ピックアップローラ７が図５に示すような待機状態になる。
【０００８】
【発明が解決しようとする課題】
前記従来の原稿自動給紙装置では、搬送途中において原稿詰まり（ジャム）等を発生した場合、その原稿を給紙圧を解除することなく、図５に示すように、搬送方向に対して逆方向へ引き抜くようにすると、原稿との摩擦抵抗により搬送ローラ３が逆回転することになる。そして、伝達手段３５のように駆動系の構成部材がそれぞれ連結しているため、最終的にはフィードローラ５の駆動軸８と共にブラケット１０が逆回転してしまう。
【０００９】
このとき、引き抜く原稿が長い場合、ブラケット１０が、ピックアップローラ７の待機位置の上限位置、すなわちブラケット１０がカバー４に当接する位置（図７に実線で示す）よりも、さらに上昇するような駆動力がブラケット１０に与えられてしまう（図７の２点鎖線参照）。したがって、前記実線にて示す上限位置にある状態で、原稿をさらに強く引っ張るようにすると、スプリングクラッチ４０が締り方向になってロックした状態においてブラケット１０がカバー４に当接することになるため、カバー４あるいはブラケット１０あるいはスプリングクラッチ４０のいずれかを破損させてしまうおそれがある。
【００１０】
本発明は、前記従来の問題を解決し、ジャム、あるいは給紙中止によって搬送路中に用紙が止まってしまった場合にあって、無理な力を構成部材に加えることなく、用紙を搬送方向に対して逆方向へ引っ張って取り出すことを可能にした用紙搬送装置を提供することを目的とする。
【００１１】
【課題を解決するための手段】
前記目的を達成するため、本発明は、用紙を搬送するフィードローラと、このフィードローラと対になって用紙を１枚ずつ分離搬送するように構成される分離手段と、前記フィードローラまで用紙をプリフィードするピックアップローラと、前記フィードローラを支持する駆動軸と、この駆動軸に前記フィードローラと共に設けられるブラケットと、このブラケットに設けられて前記ピックアップローラを支持するピックアップローラ軸と、前記駆動軸に駆動モータからの回転駆動力を伝達する伝達手段と、前記駆動軸に設けられて、モータ正転時には前記ブラケットを押し下げて前記ピックアップローラによる用紙プリフィードを可能にし、モータ逆転時には前記ブラケットを持ち上げて前記ピックアップローラを待機位置に移動させる構成のクラッチ手段を備えた用紙搬送装置において、前記伝達手段から前記駆動軸にトルクリミッタを介して回転駆動力を伝達し、前記トルクリミッタにおけるリミッタ開始基準を、前記フィードローラにおける前記分離手段との分離負荷および前記スプリングクラッチにおける用紙搬送負荷による負荷以上の負荷が加わったときにリミッタを加えるように設定したものであり、この構成によって、搬送ローラにおいて止まった用紙を搬送方向に対して逆方向に強く引っ張って引き抜くようにしたときに、クラッチ手段がロック状態にあっても、トルクリミッタによる規制により過大な力がブラケット、およびその可動範囲にある部材に加わるようなことがなくなり、従来のような用紙引出し時における構成部材の破損を防ぐことができる。また、トルクリミッタを一方向にのみ作用する構成にしなくても、用紙の分離作用および搬送作用に支障が生じないようにすることができる。
【００１４】
【発明の実施の形態】
以下、本発明の好適な実施形態について図面を参照しながら説明する。
【００１５】
図１は本発明の実施形態を説明するための原稿給紙装置におけるローラおよび軸の駆動系の構成を示す平面図であり、図２〜図７にて説明した部材に対応する部材には同一符号を付して詳しい説明は省略する。
【００１６】
本実施形態が従来例と異なる構成は、フィードローラ５の駆動軸８に伝達手段３５側から伝達される回転駆動力（トルク）を規制するトルクリミッタ４５を設けた点にある。そして、トルクリミッタ４５は、モータ正転時にはトルク規制（リミッタ）を加えず、モータ逆転時に所定のトルク以上の負荷が加わった場合にリミッタを加える構成にしている。
【００１７】
したがって、搬送途中において原稿詰まり等を発生した場合、その原稿を給紙圧を解除することなく、図５に示すように、搬送方向に対して逆方向へ引き抜くようにした際、原稿との摩擦抵抗により搬送ローラ３が逆回転して、伝達手段３５から過大な駆動力が駆動軸８に加わっても、その駆動力はトルクリミッタ４５の空転，滑り作用によるリミッタ作用により、フィードローラ５までには伝達されない。
【００１８】
このため、原稿を強い力にて搬送方向とは逆方向へ引き抜くようにしても、原稿，スプリングクラッチ４０，ブラケット１０にはトルクリミッタ４５による規制を超える駆動力が伝達されないため、前記各部には過負荷が加わらず、従来のような損傷の発生を未然に防ぐことができる。
【００１９】
トルクリミッタ４５としては、モータ正転時にリミッタを加えず、モータ逆転時に所定のトルク以上の負荷が加わった場合にリミッタを加える構成が考えられる。また、他の例としては、トルクリミッタ４５を、そのリミッタ開始基準を、フィードローラ５における分離ローラ６との分離負荷、およびスプリングクラッチ４０における用紙搬送負荷による負荷以上の負荷が加わったときにリミッタを加えるように設定した構成にすれば、トルクリミッタを前記のような一方向にのみ作用する構成にしなくても、用紙の分離作用および搬送作用に支障が生じないようにすることができる。
【００２０】
【発明の効果】
以上説明したように、本発明によれば、搬送路中の搬送ローラなどにおいて止まった状態にある用紙を、搬送方向に対して逆方向に強く引っ張って引き抜くようにしたとき、クラッチ手段がロック状態にあっても、トルクリミッタによる規制により過大な力がブラケットおよびその可動範囲にある部材に加わるようなことがなくなり、従来のような用紙引出し時における構成部材の破損を防ぐことができる。また、トルクリミッタを一方向にのみ作用する構成にしなくても、用紙の分離作用および搬送作用に支障が生じないようにすることができる。
【図面の簡単な説明】
【図１】本発明の実施形態を説明するための原稿給紙装置におけるローラおよび軸の駆動系の構成を示す平面図
【図２】従来の原稿自動給紙装置における正面側の概略構成図
【図３】従来の原稿自動給紙装置におけるローラおよび軸の駆動系の構成を示す平面図
【図４】図３に示す駆動系の原稿搬送時における正面図
【図５】図３に示す駆動系の非原稿搬送時における正面図
【図６】従来の原稿自動給紙装置におけるスプリングクラッチのモータ正転時の動作説明図
【図７】従来の原稿自動給紙装置におけるスプリングクラッチのモータ逆転時の動作説明図
【符号の説明】
２  原稿搬送路
３  搬送ローラ
４  カバー
５  フィードローラ
６  分離ローラ
７  ピックアップローラ
８  駆動軸
１０  ブラケット
１１  ピックアップローラ軸
３５  伝達手段
４０  スプリングクラッチ
４５  トルクリミッタ
【図１】
0003671336.tif 000002
【図２】
0003671336.tif 000003
【図３】
0003671336.tif 000004
【図４】
0003671336.tif 000005
【図５】
0003671336.tif 000006
【図６】
0003671336.tif 000007
【図７】
0003671336.tif 000008